(57)【要約】【課題】軸上色収差と色の球面収差を良好に補正した高い結像性能を有するズームレンズを提供すること。【解決手段】正の屈折力を有する第１群に接合レンズと単レンズを有し、適切な光学特性を有する光学材料を選択する。【選択図】図１
2019179057.tif 000002
【特許請求の範囲】
【請求項１】
物体側より順に、正の屈折力の第１群、負の屈折力の第２群、後続レンズ群を有し、前記第１群は、正の屈折力のレンズと負の屈折力のレンズからなる接合レンズと正の屈折力の単レンズを有し、下記条件式を満足することを特徴とするズームレンズ。
ΔθｇＦｐｌ＞０．０３
νｄｐｌ＜３０
−０．００３０＜（θｇＦｐ−θｇＦｎ）／（νｄｐ−νｄｎ）＜―０．００１２
ただし、ΔθｇＦｐｌはνｄｐｌを単レンズのアッべ数、θｇＦｐｌを単レンズの部分分分散比としたとき、ΔθｇＦｐｌ＝θｇＦｐｌ−（−１．６６５×１０−７・νｄｐｌ３＋５．２１３×１０−５・νｄｐｌ−５．６５６×１０−３・νｄｐｌ＋０．７２７８）で定義するものとし、νｄｐ、θｇＦｐは接合レンズを構成する正レンズのアッべ数、部分分散比、νｄｎ、θｇＦｎは接合レンズを構成する負レンズのアッべ数、部分分散比とする。
【請求項２】
前記単レンズは樹脂材料からなることを特徴とする請求項１に記載のズームレンズ。
【請求項３】
前記１群において、前記単レンズを除いた正レンズの平均アッべ数をνｄｐ＿ａｖｅ、負レンズの平均アッべ数をνｄｎ＿ａｖｅとしたとき、下記条件式を満足することを特徴とする請求項１に記載のズームレンズ。
νｄｐ＿ａｖｅ／νｄｎ＿ａｖｅ＞２．４
【請求項４】
前記単レンズの物体側の曲率半径をＲ１、像側の曲率半径をＲ２としたとき、下記条件式を満足することを特徴とする請求項１又は請求項２に記載のズームレンズ。
｜（Ｒ２＋Ｒ１）／（Ｒ２−Ｒ１）｜＞１
【請求項５】
前記１群の焦点距離をｆ１、前記単レンズの焦点距離、アッべ数、異常部分分散性をそれぞれｆｐｌ、νｄｐｌ、ΔθｇＦｐｌとしたとき、下記条件式を満足することを特徴とする請求項１に記載のズームレンズ。
４００＜（νｄｐｌ・ｆｐｌ）／（ΔθｇＦｐｌ・ｆ１）＜２０００
ただし、ΔθｇＦｐｌ＝θｇＦｐｌ−（−１．６６５×１０−７・νｄｐｌ３＋５．２１３×１０−５・νｄｐｌ−５．６５６×１０−３・νｄｐｌ＋０．７２７８）で定義するものとする。
【請求項６】
前記単レンズは非球面を有することを特徴とする請求項１に記載のズームレンズ。
【請求項７】
前記ズームレンズは、物体側から像側へ順に、正の屈折力の第１レンズ群、負の屈折力の第２レンズ群、正の屈折力の第３レンズ群、第４レンズ群より構成され、広角端（短焦点距離側）から望遠端（長焦点距離側）へのズーミングに際して第２レンズ群は不動であり、第１、第３、第４レンズ群がいずれも物体側へ移動することを特徴とする請求項１乃至請求項６の何れか一項に記載のズームレンズ。
【請求項８】
前記ズームレンズは、物体側から像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第５レンズ群、正の屈折力の第７レンズ群より構成され、広角端（短焦点距離側）から望遠端（長焦点距離側）へのズーミングに際して第２、第５、第７レンズ群は不動であり、第１、第３、第４、第６レンズ群がいずれも物体側へ移動することを特徴とする請求項１乃至請求項６の何れか一項に記載のズームレンズ。
【請求項９】
請求項１乃至請求項８の何れか一項に記載のズームレンズを有する光学機器。
【発明の詳細な説明】
【技術分野】
【０００１】
本発明は、一眼レフカメラ、デジタルカメラ、ビデオカメラ、フィルム用カメラ等の撮像装置に用いられるズームレンズに関する。
【背景技術】
【０００２】
フィルム用カメラやデジタルカメラ、そしてビデオカメラ等の撮像装置には高ズーム比で高い光学性能を有したズームレンズが要求されている。高ズーム比のズームレンズとして、最も物体側に正の屈折力のレンズ群を配置したポジィティブリード型のズームレンズが知られている。このうち３つ以上の複数のレンズ群を移動させてズーミングを行った高ズーム比で望遠型の３群構成又は４群構成のズームレンズが知られている（特許文献１）。
【０００３】
特許文献１のズームレンズでは、望遠端（長焦点距離端）で発生する軸上色収差と倍率色収差を補正するために、最も物体側の正レンズ群に異常分散ガラスを使用している。
【先行技術文献】
【特許文献】
【０００４】
【特許文献１】特開２００８−１２２７７５号公報
【発明の概要】
【発明が解決しようとする課題】
【０００５】
しかしながら、特許文献１のズームレンズでは望遠端における軸上色収差、倍率色収差が比較的良好に補正されているものの、色の球面収差が発生しているために、軸上色収差をさらに改善することが困難であった。なお、ここでは波長により球面収差の発生量が大きく異なることを色の球面収差と呼んでいる。
【０００６】
そこで、本発明は、軸上色収差と色の球面収差を良好に補正した高い結像性能を有するズームレンズを提供することを目的としている。
【課題を解決するための手段】
【０００７】
上記の目的を達成するために、本発明に係るズームレンズは、
物体側より順に、正の屈折力の第１群、負の屈折力の第２群、後続レンズ群を有し、前記第１群は、正の屈折力のレンズと負の屈折力のレンズからなる接合レンズと正の屈折力の単レンズを有し、下記条件式を満足することを特徴とする。
【０００８】
ΔθｇＦｐｌ＞０．０３    （１）
νｄｐｌ＜３０            （２）
−０．００３０＜（θｇＦｐ−θｇＦｎ）／（νｄｐ−νｄｎ）＜―０．００１２    （３）
ただし、ΔθｇＦｐｌはνｄｐｌを単レンズのアッべ数、θｇＦｐｌを単レンズの部分分分散比としたとき、ΔθｇＦｐｌ＝θｇＦｐｌ−（−１．６６５×１０−７・νｄｐｌ３＋５．２１３×１０−５・νｄｐｌ−５．６５６×１０−３・νｄｐｌ＋０．７２７８）  で定義するものとし、νｄｐ、θｇＦｐは接合レンズを構成する正レンズのアッべ数、部分分散比、νｄｎ、θｇＦｎは接合レンズを構成する負レンズのアッべ数、部分分散比とする。
【発明の効果】
【０００９】
本発明によれば、軸上色収差と色の球面収差を良好に補正した高い結像性能を有するズームレンズを提供することができる。
【図面の簡単な説明】
【００１０】
【図１】実施例１の広角端、無限遠合焦状態における光学系断面図である。
【図２】実施例１の広角端、無限遠合焦状態における縦収差図である。
【図３】実施例１の望遠端、無限遠合焦状態における縦収差図である。
【図４】実施例２の広角端、無限遠合焦状態における光学系断面図である。
【図５】実施例２の広角端、無限遠合焦状態における縦収差図である。
【図６】実施例２の望遠端、無限遠合焦状態における縦収差図である。
【図７】実施例３の広角端、無限遠合焦状態における光学系断面図である。
【図８】実施例３の広角端、無限遠合焦状態における縦収差図である。
【図９】実施例３の望遠端、無限遠合焦状態における縦収差図である。
【図１０】本発明に基づくズームレンズを有する光学機器の一例である。
【００１１】
なお、各光学系断面図において、ＳＰは絞り、ＩＰは像面を表しており、Ｌ１からＬ７は第１レンズ群から第７レンズ群であることを表わしている。また、縦収差図の球面収差、歪曲、倍率色収差の項目においては、実線はｄ線、長破線はＦ線、一点鎖線はＣ線、二点鎖線はｇ線を表している。また、非点収差の項目においては、実線がｄ線のサジタル光線、破線がｄ線のメリジオナル光線を表わしている。
【発明を実施するための形態】
【００１２】
以下、本発明を実施するための形態について、図面を参照しながら説明する。
【００１３】
本発明のズームレンズは、物体側より順に、正の屈折力の第１群、負の屈折力の第２群、後続レンズ群を有し、前記第１群は、正の屈折力のレンズと負の屈折力のレンズからなる接合レンズと正の屈折力の単レンズを有している。
【００１４】
また、このとき、前記単レンズは下記条件式を満足することを特徴とする。
【００１５】
ΔθｇＦｐｌ＞０．０３    （１）
νｄｐｌ＜３０            （２）
ただし、ΔθｇＦｐｌはνｄｐｌを単レンズのアッべ数、θｇＦｐｌを単レンズの部分分分散比としたとき、次式で定義するものとする。
【００１６】
ΔθｇＦｐｌ＝θｇＦｐｌ−（−１．６６５×１０−７・νｄｐｌ３＋５．２１３×１０−５・νｄｐｌ−５．６５６×１０−３・νｄｐｌ＋０．７２７８）    （７）
条件式（１）、（２）は単レンズの分散特性、異常部分分散性を規定した式で、条件式（１）、（２）を満足することにより、ズーミングに伴う軸上色収差と倍率色収差の二次スペクトルの変動を良好に抑えることができる。
【００１７】
近軸収差論においては、単レンズによるＦ線とＣ線を色消しした場合のｇ線の軸上色収差と倍率色収差の二次スペクトルの補正効果は次のように表すことができる。
【００１８】
軸上色収差：（ΔθｇＦｐｌ・ｈ２）／（νｄｐｌ・ｆｐｌ）       （８）
倍率色収差：（ΔθｇＦｐｌ・ｈ・Ｈ）／（νｄｐｌ・ｆｐｌ）    （９）
ここで、ｆｐｌは単レンズの焦点距離、ｈは単レンズを通過する軸上近軸光線の高さ、Ｈは単レンズを通過する瞳近軸光線の高さである。
【００１９】
従って、ΔθｇＦｐlが条件式（１）の下限値より大きければ、軸上色収差、倍率色収差の二次スペクトルを良好に補正することができる。好ましくは、条件式（１）の下限値は下記値にすると良い。
【００２０】
ΔθｇＦｐｌ＞０．０６    （１ａ）
さらに好ましくは、条件式（１）の下限値は下記値にすると良い。
【００２１】
ΔθｇＦｐｌ＞０．０９    （１ｂ）
また、アッべ数νｄｐｌが条件式（２）の上限値より小さい程、軸上色収差、倍率色収差の補正効果が大きくなるため良い。好ましくは、条件式（２）の上限値は下記値にすると良い。
【００２２】
νｄｐｌ＜２５    （２ａ）
さらに好ましくは、条件式（２）の上限値は下記値とすると良い。
【００２３】
νｄｐｌ＜２０    （２ｂ）
異常分散性を示すΔθｇＦが大きいほど、もしくは、アッべ数νｄｐｌが小さいほど、色収差の二次スペクトルを補正するために必要な単レンズの焦点距離を大きくすることができる。単レンズの焦点距離が大きくなると、球面収差やコマ収差などの諸収差に与える影響が少なくなるため、軸上色収差や倍率色収差の二次スペクトルを比較的独立して補正することができる。
【００２４】
また、本発明の前記接合レンズは下記条件式を満足することを特徴としている。
【００２５】
−０．００３０＜（θｇＦｐ−θｇＦｎ）／（νｄｐ−νｄｎ）＜―０．００１２    （３）
ここで、νｄｐ、θｇＦｐは接合レンズを構成する正レンズのアッべ数、部分分散比、νｄｎ、θｇＦｎは接合レンズを構成する負レンズのアッべ数、部分分散比である。
【００２６】
条件式（３）は接合面の部分分散比の差を規定した式であり、これにより、色の球面収差を補正することができる。
【００２７】
条件式（３）の上限値を超えると軸上色収差と倍率色収差のズーム変動は補正しやすくなるが、接合レンズで色の球面収差が発生する。色の球面収差が発生した状態では軸上色収差を補正しても結像性能が向上しないため好ましくない。また、条件式（３）の下限値を超えると、軸上色収差、倍率色収差の二次スペクトルが大きくなるため好ましくない。
【００２８】
従って、本発明の条件式（１）〜（３）を満足することにより色の球面収差の発生を抑えながら、軸上色収差、倍率色収差の二次スペクトルを良好に補正することができる。
【００２９】
さらに、前記単レンズが樹脂材料からなる場合、異常分散ガラスなどに比べて低コストで製造できるため好ましい。
【００３０】
その際、条件式（１）、（２）を満足していれば前記単レンズの焦点距離を大きくすることができるため、樹脂材料の屈折率温度変化、吸水膨張などによる結像性能への影響を小さくすることができる。
【００３１】
従って、低コストで耐環境性に優れた構成とすることができる。
【００３２】
また、本発明のズームレンズは次の条件を満足すると良い。
【００３３】
νｄｐ＿ａｖｅ／νｄｎ＿ａｖｅ＞２．４    （４）
ここで、νｄｐ＿ａｖｅは前記条件式（１）、（２）を満足する単レンズを除いた正レンズの平均アッべ数、νｄｎ＿ａｖｅは負レンズの平均アッべ数である。条件式（４）を満足することにより、一次の色収差を良好に補正することができる。また、条件式（４）を満足すると前記条件式（１）、（２）を満足する単レンズに屈折力を付けやすくなり、色収差の二次スペクトルを良好に補正することが可能になる。
【００３４】
さらに、本発明のズームレンズは次の条件を満足するとよい。
【００３５】
｜（Ｒ２＋Ｒ１）／（Ｒ２−Ｒ１）｜＞１    （５）
ここで、Ｒ１、Ｒ２はそれぞれ前記条件式（１）、（２）を満足する単レンズの物体側の曲率半径、像側の曲率半径である。前記単レンズが条件式（５）を満足するとメニスカス形状になり、屈折率温度変化や吸水膨張などによる結像性能への影響を少なくすることができる。
【００３６】
さらに、本発明のズームレンズは次の条件を満足すると良い。
【００３７】
４００＜（νｄｐｌ・ｆｐｌ）／（ΔθｇＦｐｌ・ｆ１）＜２０００    （６）
ここで、ｆは前記第１群の焦点距離である。条件式（６）は軸上色収差、倍率色収差の二次スペクトルの補正量、及び、単レンズの焦点距離を規定した式である。条件式（６）の下限値を超えると、単レンズの焦点距離が短くなり、屈折率温度変化や吸水膨張などによる結像性能への影響が大きくなるため好ましくない。また、条件式（６）の上限値を超えると、軸上色収差、倍率色収差の二次スペクトルを良好に補正することができないため好ましくない。
【００３８】
さらに、本発明のズームレンズにおいて、前記単レンズに非球面を用いることにより球面収差、コマ収差、像面湾曲を効果的に補正することができる。
【００３９】
以降、本発明の実施例１〜３について説明する。
【実施例１】
【００４０】
実施例１は全画角２７．２〜６．４°のズームレンズであり、図１にその光学系断面図を示す。
【００４１】
実施例１のズームレンズは物体側から像側へ順に、正の屈折力の第１レンズ群Ｌ１、負の屈折力の第２レンズ群Ｌ２、正の屈折力の第３レンズ群Ｌ３、第４レンズ群Ｌ４より構成され、広角端（短焦点距離側）から望遠端（長焦点距離側）へのズーミングに際して第２レンズ群Ｌ２は不動であり、第１、第３、第４レンズ群Ｌ１、Ｌ２、Ｌ３がいずれも物体側へ移動する。無限遠から至近にかけてのフォーカシングは第１レンズ群Ｌ１を物体側へ繰り出すことにより行っている。また、第２レンズ群Ｌ２を光軸とは垂直方向にシフトさせることにより防振を行っている。なお、実施例１の単レンズＬｓにはアッべ数νｄｐｌ＝１８．６５、部分分散比θｇＦｐｌ＝０．７００の熱可塑性樹脂を使用している。
【００４２】
図２、図３は実施例１の広角端、望遠端における無限遠合焦時の縦収差図を示している。本発明の構成にすることにより、望遠端における色の球面収差の発生を防ぐことができ、軸上色収差、倍率色収差のズーム変動を良好に抑えることができている。
【実施例２】
【００４３】
実施例２は実施例と同じ仕様、同じタイプのズームレンズである。図４にその光学断面図を示す。実施例２と実施例１との違いは単レンズＬｓの光学特性にある。
【００４４】
実施例２の単レンズＬｓではアッべ数νｄｐｌ＝２０．３６、部分分散比θｇＦｐｌ＝０．６９２の熱可塑性樹脂を使用している。
【００４５】
図５、６は実施例２の広角端、望遠端における無限遠合焦時の縦収差図を示しており、その効果は実施例１と同じである。色の球面収差がほとんど発生しておらず、軸上色収差、倍率色収差のズーム変動を良好に抑えている。
【実施例３】
【００４６】
実施例３は全画角２１．６〜５．４°のズームレンズであり、図７にその光学系断面図を示す。
【００４７】
実施例３のズームレンズは物体側から像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６、正の屈折力の第７レンズ群Ｌ７より構成され、広角端（短焦点距離側）から望遠端（長焦点距離側）へのズーミングに際して第２、第５、第７レンズ群Ｌ２、Ｌ５、Ｌ７は不動であり、第１、第３、第４、第６レンズ群Ｌ１、Ｌ３、Ｌ４、Ｌ６がいずれも物体側へ移動する。無限遠から至近にかけてのフォーカシングは第６レンズ群Ｌ６を像側へ繰り出すことにより行っている。また、第２レンズ群Ｌ２を光軸とは垂直方向にシフトさせることにより防振を行っている。実施例３の単レンズＬｓには実施例１と同じくアッべ数νｄｐｌ＝１８．６５、部分分散比θｇＦｐｌ＝０．７００の熱可塑性樹脂を使用している。
【００４８】
図８、図９は実施例３の広角端、望遠端における無限遠合焦時の縦収差図を示している。本発明の構成にすることにより、望遠端における色の球面収差の発生を防ぐことができ、軸上色収差、倍率色収差のズーム変動を良好に抑えることができている。
【００４９】
なお、実施例１〜３においてフォーカス群や防振群は上記に限ったものではない。
【００５０】
次に、本発明の光学系を用いた一眼レフカメラシステムの実施形態を、図１０を用いて説明する。
【００５１】
図１０において、１０は一眼レフカメラ本体、１１は本発明による光学系を搭載した交換レンズである。１２は交換レンズ１１を通して得られる被写体像を記録するフィルムや撮像素子などの記録手段である。１３は交換レンズ１１からの被写体像を観察するファインダー光学系、１４は交換レンズ１１からの被写体像を記録手段１２とファインダー光学系１３に切り換えて伝送するための回動するクイックリターンミラーである。ファインダーで被写体像を観察する場合は、クイックリターンミラー１４を介してピント板１５に結像した被写体像をペンタプリズム１６で正立像としたのち、接眼光学系１７で拡大して観察する。
【００５２】
撮影時にはクイックリターンミラー１４が矢印方向に回動して被写体像は記録手段１２に結像して記録される。１８はサブミラー、１９は焦点検出装置である。
【００５３】
このように本発明の光学系を一眼レフカメラ交換レンズなどの光学機器に適用することにより、高い光学性能を有した光学機器が実現できる。
【００５４】
なお、本発明はクイックリターンミラーのない一眼カメラにも同様に適用することができ、上記に限ったものではない。
【００５５】
次に、各実施例の数値データを示す。各実施例の数値データにおいて、ｒは曲率半径、ｄは光軸上の面間隔、ｎｄ、νｄは光学材料のｄ線に対する屈折率、アッベ数を表している。
【００５６】
また、非球面形状は、Ｘを光軸方向の面頂点からの変異量、ｈを光軸と垂直な方向の光軸からの高さ、ｒを近軸曲率半径、Ｋを円錐定数、Ａ２、Ａ４、Ａ６、・・・を各次数の非球面形状としたとき、次式によって表される。
【００５７】
【数１】
2019179057.tif 000003
【００５８】
なお、各係数における「Ｅ±ＹＹ」は「×１０±ＹＹ」を意味している。
【００５９】
また、各実施例における各条件式の値を表１に示す。
（実施例１）
単位 mm
面データ
面番号       r        d      nd         vd
1         78.251    5.57   1.48749    70.2           
2       -278.587    0.15                             
3         75.664    3.29   1.80518    25.4           Ｌｃ
4         33.736    4.99   1.63854    55.4           Ｌｃ
5         75.071    0.15                             
6         74.275    2.73   1.64720    18.7           Ｌｓ
7*       129.538  (可変)                             
8       -104.522    0.97   1.71300    53.9           
9         16.724    3.86   1.80518    25.4           
10         43.532    1.97                             
11        -44.399    0.94   1.80400    46.6           
12        333.652  (可変)                             
13         75.314    1.87   1.67790    55.3           
14       -115.503    0.26                             
15         38.264    2.28   1.58313    59.4           
16       -818.929    1.49                             
17(絞り)    ∞       0.44                             
18         32.555    2.45   1.49700    81.5           
19       -487.445    0.36                             
20       -158.050    3.37   1.84666    23.8           
21         54.901  (可変)                             
22         57.027    1.64   1.83400    37.2           
23         22.081    5.43                             
24         37.698    2.51   1.67270    32.1           
25       -229.597  (可変)                             
像面        ∞   
非球面データ
第7面
K = 0.00000e+000  A 4= 3.54554e-008  A 6= 9.79650e-011  A 8=-3.14859e-013  
A10= 5.43638e-016  
各種データ
ズーム比      4.27 
広角     中間     望遠
焦点距離      56.47   125.07   241.01  
Fナンバー      4.16     5.00     5.88  
画角          13.60     6.23     3.24  
像高          13.66    13.66    13.66  
レンズ全長   149.42   174.57   186.81  
BF            57.32    71.67    83.60  
d 7            5.93    31.09    43.33  
d12           28.50    15.00     1.01  
d21           10.93    10.09    12.15  
d25           57.32    71.67    83.60  
ズームレンズ群データ
群  始面    焦点距離  
1    1     105.65  
2    8     -24.15  
3   13      33.96  
4   22     2390.73  
各面屈折率データ
面番号         ｄ線         ｇ線         Ｃ線         Ｆ線
1     1.4874899     1.4959635     1.4853440     1.4922848
3     1.8051809     1.8472855     1.7961058     1.8277748    Ｌｃ
4     1.6385393     1.6529062     1.6350514     1.6465817    Ｌｃ
6     1.6472000     1.6968000     1.6378000     1.6725000    Ｌｓ
8     1.7129950     1.7294348     1.7089739     1.7222103
9     1.8051809     1.8472855     1.7961058     1.8277748
11     1.8039996     1.8256938     1.7988166     1.8160762
13     1.6779000     1.6931410     1.6741884     1.6864380
15     1.5831259     1.5952966     1.5801386     1.5899598
18     1.4969993     1.5045067     1.4951364     1.5012312
19     1.0000000     1.0000000     1.0000000     1.0000000
20     1.8466599     1.8941889     1.8364882     1.8720958
22     1.8339999     1.8627808     1.8273758     1.8498193
24     1.6727000     1.7001144     1.6666071     1.6875644
（実施例２）
単位 mm
面データ
面番号       r        d      nd         vd
1         78.802    4.80   1.48749    70.2           
2       -271.213    0.15                             
3         73.784    1.91   1.80518    25.4           Ｌｃ
4         34.685    4.42   1.62299    58.2           Ｌｃ
5         74.357    0.15                             
6         70.156    2.09   1.61480    20.4           Ｌｓ
7*       129.969  (可変)                             
8       -121.388    1.09   1.71300    53.9           
9         16.542    3.38   1.80518    25.4           
10         43.295    2.14                             
11        -42.819    0.95   1.80400    46.6           
12        269.703  (可変)                             
13         71.481    2.07   1.67790    55.3           
14       -129.914    0.15                             
15         36.598    2.43   1.58313    59.4           
16      -2509.175    2.08                             
17(絞り)    ∞       0.54                             
18         31.734    2.99   1.49700    81.5           
19       -454.034    0.25                             
20       -154.206    0.95   1.84666    23.8           
21         52.593  (可変)                             
22         57.200    1.79   1.83400    37.2           
23         21.937    5.13                             
24         36.590    2.67   1.67270    32.1           
25       -209.237  (可変)                             
像面        ∞   
非球面データ
第7面
K = 0.00000e+000  A 4= 2.28920e-008  A 6= 1.08703e-010  A 8=-3.43132e-013  A10= 5.07615e-016  
各種データ
ズーム比      4.36 
広角     中間     望遠
焦点距離      55.22   131.32   241.01  
Fナンバー      4.16     5.00     5.88  
画角          13.89     5.94     3.24  
像高          13.66    13.66    13.66  
レンズ全長   147.89   175.60   186.71  
BF            60.40    76.11    86.82  
d 7            5.93    33.64    44.74  
d12           28.50    14.03     1.00  
d21           10.93     9.68    12.02  
d25           60.40    76.11    86.82  
ズームレンズ群データ
群  始面    焦点距離  
1    1     103.45  
2    8     -23.95  
3   13      34.72  
4   22     1056.35  
各面屈折率データ
面番号         ｄ線         ｇ線         Ｃ線         Ｆ線
1     1.4874899     1.4959635     1.4853440     1.4922848
3     1.8051809     1.8472855     1.7961058     1.8277748    Ｌｃ
4     1.6229919     1.6362963     1.6197394     1.6304502    Ｌｃ
6     1.6148000     1.6576000     1.6065000     1.6367000    Ｌｓ
8     1.7129950     1.7294348     1.7089739     1.7222103
9     1.8051809     1.8472855     1.7961058     1.8277748
11     1.8039996     1.8256938     1.7988166     1.8160762
13     1.6779000     1.6931410     1.6741884     1.6864380
15     1.5831259     1.5952966     1.5801386     1.5899598
18     1.4969993     1.5045067     1.4951364     1.5012312
20     1.8466599     1.8941889     1.8364882     1.8720958
22     1.8339999     1.8627808     1.8273758     1.8498193
24     1.6727000     1.7001144     1.6666071     1.6875644
（実施例３）
単位 mm
面データ
面番号       r        d      nd         vd
1          ∞       1.85                             
2         87.425    3.44   1.48749    70.2           
3        171.368    1.02                             
4        178.727    2.01   1.64720    18.7           Ｌｓ
5        330.408    0.44                             
6         71.650    2.66   1.84666    23.8           Ｌｃ
7         45.433    8.51   1.48749    70.2           Ｌｃ
8          ∞     (可変)                             
9       2009.242    1.07   1.85026    32.3           
10         47.431    2.25                             
11        -50.222    0.89   1.80400    46.6           
12         27.156    3.50   1.84666    23.9           
13      -3606.627  (可変)                             
14         30.067    1.48   1.80518    25.4           
15         20.539    4.39   1.58313    59.4           
16*       -71.525    2.87                             
17(絞り)    ∞     (可変)                             
18        -22.730    1.77   1.58913    61.1           
19         31.893    1.68   1.80518    25.4           
20        104.915  (可変)                             
21       -223.609    3.99   1.58313    59.4           
22        -25.679    0.52                             
23         75.496    5.20   1.49700    81.5           
24        -23.587    2.02   1.84666    23.9           
25        -58.294    2.03                             
26         35.311    2.92   1.56384    60.7           
27      -1072.132  (可変)                             
28      -37803.920    1.30   1.83481    42.7           
29         27.176    1.07                             
30         88.484    2.63   1.80518    25.4           
31        -25.519    1.81   1.83481    42.7           
32         49.698  (可変)                             
33         45.713    3.20   1.51742    52.4           
34        151.156  (可変)                             
像面        ∞   
非球面データ
第16面
K = 0.00000e+000  A 4= 2.87332e-006  A 6=-1.72749e-009  A 8=-1.64733e-011  
各種データ
ズーム比      4.03 
広角     中間     望遠
焦点距離      71.86   132.05   289.68  
Fナンバー      4.65     4.95     5.85  
画角          10.76     5.91     2.70  
像高          13.66    13.66    13.66  
レンズ全長   146.00   177.82   204.39  
BF            39.00    39.00    39.00  
d 8            1.31    33.14    59.71  
d13            8.04     4.68     1.55  
d17            3.62    10.39    16.98  
d20            8.71     5.30     1.85  
d27           14.34    12.65     1.74  
d32            2.94     4.63    15.55  
d34           39.00    39.00    39.00  
ズームレンズ群データ
群  始面    焦点距離  
1    1     118.83  
2    9     -31.04  
3   14      41.99  
4   18     -37.06  
5   21      24.97  
6   28     -24.49  
7   33     125.35  
各面屈折率データ
面番号         ｄ線         ｇ線         Ｃ線         Ｆ線
2     1.4874899     1.4959635     1.4853440     1.4922848
4     1.6472000     1.6968000     1.6378000     1.6725000    Ｌｓ
6     1.8466599     1.8941889     1.8364882     1.8720958    Ｌｃ
7     1.4874899     1.4959635     1.4853440     1.4922848    Ｌｃ
10     1.8502587     1.8845049     1.8425820     1.8689177
12     1.8040000     1.8256992     1.7988153     1.8160798
13     1.8466602     1.8938559     1.8365540     1.8719285
15     1.8051809     1.8472855     1.7961058     1.8277748
16     1.5831256     1.5952789     1.5801344     1.5899538
19     1.5891299     1.6010338     1.5861875     1.5958242
20     1.8051809     1.8472855     1.7961058     1.8277748
22     1.5831259     1.5952966     1.5801386     1.5899598
24     1.4969993     1.5045067     1.4951364     1.5012312
25     1.8466602     1.8938559     1.8365540     1.8719285
27     1.5638390     1.5753159     1.5610006     1.5702948
29     1.8348072     1.8595478     1.8289754     1.8485200
31     1.8051809     1.8472855     1.7961058     1.8277748
32     1.8348072     1.8595478     1.8289754     1.8485200
34     1.5174170     1.5298043     1.5144444     1.5243131
（表１）
条件式     (1)           (2)       (3)       (4)       (5)       (6)
実施例1          0.061     18.65    -0.0023    2.47       3.69      764.7 
実施例2          0.059     20.36    -0.0021    2.53       3.35      813.5 
実施例3          0.061     18.65    -0.0019    2.95       3.36     1541.7
【符号の説明】
【００６０】
Ｌ１  第１レンズ群、Ｌ２  第２レンズ群、Ｌ３  第３レンズ群、
Ｌ４  第４レンズ群、Ｌ５  第５レンズ群、Ｌ６  第６レンズ群、
Ｌ７  第７レンズ群、Ｌｃ  本発明の接合レンズ、Ｌｓ  本発明の単レンズ、
ＳＰ  絞り、ＩＰ  像面
【図１】
2019179057.tif 000004
【図２】
2019179057.tif 000005
【図３】
2019179057.tif 000006
【図４】
2019179057.tif 000007
【図５】
2019179057.tif 000008
【図６】
2019179057.tif 000009
【図７】
2019179057.tif 000010
【図８】
2019179057.tif 000011
【図９】
2019179057.tif 000012
【図１０】
2019179057.tif 000013